(57)【要約】      （修正有）【課題】自動車のナンバープレートに表示されている一連指定番号、または暗証番号など４桁以上の記号、数字を表示する表示部と、剥離機能を備える車への取り付け部とからなる表示プレートを、車に装着することにより、自分の車を確実に認識することが出来るマイカープレートを提供する。【解決手段】車の表示プレートに関して、表示色によりセグメント構成され、−，・，０〜９の記号、数字を容易に切り出すことが出来る番号シートから、自動車のナンバープレートに表示されている一連指定番号、または暗証番号など４桁以上の記号、数字を順次切り出して配列する表示部１と、剥離機能を備える吸盤構造５，６による車への取り付け部とからなる表示プレートを車に装着することにより、自分の車を確実に認識することが出来る。また、携帯可能な解除キーにより吸盤構造の剥離機能を操作して表示プレートを車から取りはずすことが出来る構造とする。【選択図】図１
0003190886.tif 000002
【実用新案登録請求の範囲】
【請求項１】
駐車場などで自分の車を確認するための表示プレートに関して、表示色によりセグメント構成され、−，・，０〜９の記号、数字を容易に切り出すことが出来る番号シートから、自動車のナンバープレートに表示されている一連指定番号、または暗証番号など４桁以上の記号、数字を順次切り出して配列する表示部と、剥離機能を備える吸盤構造による車への取り付け部とからなる表示プレートを車に装着することにより、自分の車を確実に認識することが出来るマイカープレート。
【請求項２】
携帯可能な解除キーにより吸盤構造の剥離機能を操作して表示プレートを車から取りはずす、請求項１に記載するマイカープレート。
【考案の詳細な説明】
【技術分野】
【０００１】自動車のナンバープレートに表示されている一連指定番号、または暗証番号など４桁以上の記号、数字を番号シートから順次切り出して配列する表示部と、剥離機能を備える吸盤構造による車への取り付け部とからなる表示プレートを、車の鋼板部、またはガラス部に装着することにより、自分の車を確実に認識することが出来るマイカープレート。
【背景技術】
【０００２】自動車は形状や色などが類似した車種が多く、広大な駐車場で自分の車を確認することは容易では無いため、自分の車であることを表示する手段として色付きや、特殊マーク入りの旗やプレートを屋根や窓に取り付けて確認する表示ツールが実用化されている。
【考案が解決しようとする課題】
【０００３】色や、特殊マーク入りの旗やプレートによる従来の表示方法は、同じ色やマークに出会うことも多く、独自性を表すために特有な色、シンボル、マークなどは特注品となり極めて高価格になる。また、自分の表示マークなどを記憶することも容易でなく失念することも度々である。さらに、盗難を防ぐために旗やプレートから引き出した紐などをドアや窓の隙間から車の中に引き込んで固定するなどの対策がされるため、取り付け、取り外しが極めて面倒であるなど、従来の表示ツールが抱える多くの課題を解決する。
【課題を解決するための手段】
【０００４】自動車のナンバープレートに表示されている一連指定番号、または暗証番号など４桁以上の記号、数字を番号シートから順次切り出して配列する表示部と、剥離機能を備える吸盤構造による車への取り付け部とからなる表示プレートを車に装着するとともに、表示プレートを車から取りはず場合に携帯可能な解除キーにより吸盤構造の剥離機能を操作する盗難防止構造も容易に実現できる。
【考案の効果】
【０００５】表示部に自動車のナンバープレートに表示されている一連指定番号、または暗証番号など４桁以上の記号、数字を番号シートからカッターなどで順次切り出して配列することにより、誰にでも簡単に自分の表示を作成することが出来る。作成する表示が自動車のナンバープレートに表示されている一連指定番号であれば忘れることも無く、他の車に装着された場合は不正使用である事が車のナンバープレートとの照合により一目瞭然となるため盗難防止用に特別な対策を施さなくても盗難は避けられる可能性が高い。また、吸盤による取り付け、取り外しにより車に傷を付けず着脱が極めて簡単である。
【考案を実施するための形態】
【０００６】自動車のナンバープレートは一連指定番号の記号、数字をサイズ４０×８０ｍｍ、間隔１５ｍｍで２桁ずつ４桁で表し、自家用車は白地に緑色文字、自家用軽は黄色地に黒文字を指定しており、この条件で表示された文字が２０ｍの距離を隔てて明瞭に識別できると定義されている。広い駐車場などで自車を確認するためには視認距離も極めて重要なため表示プレートに表示する記号、数字の表示色、サイズは、ナンバープレートの一連指定番号とほぼ同じにすることが望ましく、誰にでも簡単に設定できることが必須条件となる。図２に示す番号シート（１）は緑色の軟質樹脂シートの裏面に両面接着テープが貼り付けられ両面接着テープの表面の剥離シートにセグメントパーッ線が印刷され、使用しないパーッは予め削除されている。この番号シートのセグメントパーッを線に従ってカッターなどで切り取る事によって、例えば（２）に示す「５」の数字が簡単に切り出せる。切り出した四桁の記号、数字を樹脂などで形成する表示パネルの表示部に貼り付ければ良い。番号シート（１）からは−，・，０〜９の記号、数字が（３）に示す字体で表現される。なお記号や数字をセグメントパーッ個片の組み合わせや嵌め込みなどで表示せず、記号、数字そのもので表示するため、万一表示パネルが盗まれてもセグメントパーッを組み替えて改ざんされる可能性は極めて低い。
【０００７】図１は表示プレートを示しており、４０×８０ｍｍサイズ以上で形成される４桁の記号、数字が配列された一連指定番号の表示部１と、剥離機能を備える吸盤構造による車への取り付け部２で構成される。４桁の数字はどの方向からも見え易くするため表示部の表３、裏４の両面に同一表示を二桁ずつ分けて直角に表示している。表示パネル１に連結された取り付け部２は吸盤５、６により車の鋼板部、またはガラス部に装着する。バネ７ならびにスカート８は吸盤の吸着、非吸着による吸盤の露出を防ぐ隠し構造である。（２）は吸盤の剥離機能の概念図を示し、吸盤５，６の剥離羽９，１０に剥離紐１１を繋いで、剥離摘み１２を指で摘んで引き上げることにより吸盤の吸着解除する構成である。例えマイカープレートを盗んでも表示番号を改ざんし難いため盗難の効果は少ないが、盗難を防ぎたい場合は請求項２，図３に示すように、（２）に示す携帯可能な解除キー１３を解除バー１６に差し込んで回転させることにより吸盤５，６の剥離紐１４，１５が同時に引き上げられ、吸盤の剥離羽により吸盤の気密室に空気が送り込まれて吸着が解除される構造であり、解除キー１３が無ければマイカープレートを車から取り外す事は容易ではない。なお、番号シートから一連指定番号、または暗証番号などを切り出す最大の理由は、４桁の数字を裏表に形成するために番号シートであれば８枚有れば良いが、単独の記号、数字の場合は１２×８＝９６枚が必要になるためである。
【実施例】
【０００８】表示プレートは１２５×１２５×１２５ｍｍの三角柱状であり、表、裏両面で、二桁ずつ直角に一連指定番号相当が表示されているため少なくとも二桁、または四桁全ての記号、数字が車のどの方向からも視認できる。番号シートは基本意的にナンバープレートに合わせて、数字サイズ４０×８０ｍｍ、自家用車は緑色文字、自家用軽は黒文字とし、軟質塩ビシート０．３ｍｍの番号シートから、切り出した四桁の記号、数字を自家用は白地、自家軽は黄色地の厚さ１ｍｍのＡＢＳ樹脂で形成する表示パネルの表示部に貼り付け、その外側を０．５ｍｍの透明アクリル樹脂でカバーし、取り付け部はＡＢＳ樹脂、吸盤はΦ４０ｍｍの塩ビを二個使用、バネはステンレスバネとした。表示パネルの表示部は三角柱状ではなく四桁の記号、数字を表示する平板状でも良く、車への取り付けに関しては、吸盤の補助機能として磁石を追加したり、ステンレスバネの代わりにスポンジゴムを使用しても良い。さらに、番号シートは薄いＰＰ板でも良く、色は遠くから見易い色であれば良いなど、機能、性能、材質、デイメンジョン、色などに関しては、本考案の趣旨を逸脱しない範囲であれば種々変更が可能である。
【図面の簡単な説明】
【０００９】
【図１】本考案による三角柱状マイカープレートの概念図を示す
【図２】番号シートの構成概念図を示す
【図３】解除キーによる吸盤剥離構造の概念図を示す
【符号の説明】  １  表示部
２  取り付け部
３  表示部表
４  表示部裏
５  吸盤
６  吸盤
７  スプリング
８  スカート
９  剥離羽
１０  剥離羽
１１  剥離紐
１２  剥離摘み
１３  解除キー
１４  剥離紐
１５  剥離紐
１６  解除バー
【図１】
0003190886.tif 000003
【図２】
0003190886.tif 000004
【図３】
0003190886.tif 000005